(57)【要約】【課題】  カートリッジを誤ってイジェクトしてしまうことを防止し、カートリッジのスムーズなイジェクトを実現するカートリッジ用ソケットを提供すること。【解決手段】  カートリッジ用ソケット１は、前面にカートリッジ挿入用の開口１６を有するハウジング１０と、カートリッジ２の挿入動作により、弾性力を蓄えるイジェクトスプリングを備えたイジェクト機構と、挿入されたカートリッジ２を記録再生位置に保持するロック機構と、操作ボタン１８を操作することにより、カートリッジ２のロック状態を解除するロック解除機構と、カートリッジ２がイジェクトされる際に、イジェクトスプリングに蓄えられた弾性力が減衰しながらカートリッジ２に作用するようにするダンパ機構とを備えることを特徴とする。【選択図】  図１
2006012310.tif 000002
【特許請求の範囲】
【請求項１】
前面にカートリッジ挿入用の開口を有するハウジングと、
前記開口からハウジング内に挿入されたカートリッジの挿入動作により弾性力を蓄えるイジェクトスプリングを備えたイジェクト機構と、
前記挿入されたカートリッジと係合し、該カートリッジを記録再生位置に保持するロック機構と、
前記ハウジング前面に配置された操作ボタンを備え、該操作ボタンを操作することにより、前記ロック機構のロック状態を解除するロック解除機構と、
前記ロック解除機構により前記カートリッジのロック状態が解除され、該カートリッジが前記イジェクト機構のイジェクトスプリングの弾性力により前記開口からイジェクトされる際に、該イジェクトスプリングに蓄えられた弾性力が減衰しながら前記カートリッジに作用するようにするダンパ機構と、を備えることを特徴とするカートリッジ用ソケット。
【請求項２】
前記ロック解除機構は、前記カートリッジが前記記録再生位置にある状態では、前記操作ボタンがハウジング前面とほぼ同じ位置の第１位置にあり、前記カートリッジのロック状態を解除するために、前記操作ボタンを押し込むことにより、該操作ボタンがハウジング前面から突出した第２位置に変位し、その状態で該操作ボタンを再度押圧することにより、前記ロック機構によるカートリッジのロック状態を解除するようになっている請求項１に記載のカートリッジ用ソケット。
【請求項３】
前記カートリッジ用ソケットは、さらに、前記ロック解除機構に連動するカートリッジ押出し機構を備えていることを特徴とする請求項１に記載のカートリッジ用ソケット。
【請求項４】
前記ロック解除機構は、ハートカム機構を備えている請求項２に記載のカートリッジ用ソケット。
【請求項５】
前記ダンパ機構は、前記イジェクト機構に設けられたラックと、該ラックと噛合するダンパユニットにより回転が規制されたピニオンギアとを有する請求項１に記載のカートリッジ用ソケット。
【発明の詳細な説明】
【技術分野】
【０００１】
本発明は、カートリッジ用ソケットに関し、さらに詳しくは、ハードディスクなどのメディアを内蔵したカートリッジを記録再生するためのソケットに関する。
【背景技術】
【０００２】
コンピュータ等の電子機器類には、カートリッジ型の外部記憶装置等を挿脱可能に装着するためのカートリッジ用ソケットが設けられている。このようなカートリッジ用ソケットとしては、ＰＣカード用のソケットやＭＯ（光磁気ディスク）用のソケットなどが知られているが、近年、外部記憶装置の大容量化やデータ転送速度の向上等の要請に伴い、２．５インチのハードディスクを内蔵いしたリムーバブルハードディスクなども開発され、コンピュータの外部記憶装置のほか、ＡＶ機器等における記憶媒体としても期待されている。
【発明の開示】
【発明が解決しようとする課題】
【０００３】
上記のようなカートリッジ用ソケットは、誤ってカートリッジをイジェクトすることを防止する機構を備えていることが望ましい。例えば、上記のようなハードディスクを格納したカートリッジの場合、ハードディスク作動中に誤ってカートリッジをイジェクトしてしまうとハードディスクを損傷する場合がある。
【０００４】
また、上記のようなカートリッジ用ソケットは、カートリッジの重量もかなりのものになるので、カートリッジをイジェクトするために、強いスプリングを用いるなど比較的大きなイジェクト力が要求される。しかしながら、大きなイジェクト力をそのままカートリッジに作用させると、イジェクトの際に衝撃が加わり、カートリッジの内部のハードディスクが破損したり、大きなイジェクト力によりソケットのカートリッジ挿入用の開口からカートリッジが脱落する可能性がある。そのため、カートリッジをスムーズにイジェクト可能とすることが望まれる。特に、ある程度重量が重いカートリッジの場合、スムーズなイジェクトの実現は必須となる。
【０００５】
本発明は、上述した課題に鑑みてなされたものであり、カートリッジを誤ってイジェクトしてしまうことを防止し、カートリッジのスムーズなイジェクトを実現するカートリッジ用ソケットを提供することを目的とする。
【課題を解決するための手段】
【０００６】
上述した目的を達成するために、本発明にかかるカートリッジ用ソケットは、前面にカートリッジ挿入用の開口を有するハウジングと、前記開口からハウジング内に挿入されたカートリッジの挿入動作により弾性力を蓄えるイジェクトスプリングを備えたイジェクト機構と、前記挿入されたカートリッジと係合し、該カートリッジを記録再生位置に保持するロック機構と、前記ハウジング前面に配置された操作ボタンを備え、該操作ボタンを操作することにより、前記ロック機構のロック状態を解除するロック解除機構と、前記ロック解除機構により前記カートリッジのロック状態が解除され、該カートリッジが前記イジェクトスプリングの弾性力により前記開口からイジェクトされる際に、前記イジェクトスプリングに蓄えられた弾性力が減衰しながら前記カートリッジに作用するようにするダンパ機構とを備えることを特徴とする。
【０００７】
本発明によれば、以上のようなダンパ機構を備えているので、イジェクトの際のカートリッジへの衝撃を緩和することができ、カートリッジをスムーズにイジェクトすることができる。また、イジェクトの際にカートリッジ挿入用開口からカートリッジが飛び出して脱落することを防止することができる。
【０００８】
また、本発明に係るカートリッジ用ソケットでは、前記ロック解除機構は、前記カートリッジが前記記録再生位置にある状態では、前記操作ボタンがハウジング前面とほぼ同じ位置の第１位置にあり、前記カートリッジのロック状態を解除するために、前記操作ボタンを押し込むことにより、前記操作ボタンがハウジング前面から突出した第２位置に変位し、その状態で該操作ボタンを再度押圧することにより、前記ロック機構によるカートリッジのロック状態を解除することが好ましい。
【０００９】
これにより、カートリッジがソケットに収容されている状態（即ち、記録再生状態）では、操作ボタンがハウジング前面とほぼ同じ位置の第１位置にあるため、操作ボタンへの接触を防止することができる。さらに、第２位置へ変位させた後に押し込むことで、はじめてロック状態を解除できるため、誤操作を防止することができる。
【００１０】
また、本発明に係るカートリッジ用ソケットは、さらに、前記ロック解除機構に連動するカートリッジ押出し機構を備えていることが好ましい。
【００１１】
これにより、イジェクトの際に、カートリッジとカートリッジ用ソケットの接続コネクタの抜脱等を確実に実行することができる。
【００１２】
また、本発明に係るカートリッジ用ソケットは、前記ロック解除機構が、ハートカム機構を備えていることが好ましい。このようなハートカム機構を用いることにより、上述した操作ボタンの第１位置と第２位置間での変位が簡単に実現できる。
【００１３】
また、本発明に係るカートリッジ用ソケットは、前記ダンパ機構が、前記イジェクト機構に設けられたラックと、該ラックと噛合するダンパユニットにより回転が規制されたピニオンギアとを有することが好ましい。
【００１４】
本発明の上述したおよびその他の目的、構成および効果は、図面を参照してなす以下の実施形態の説明からより明らかとなるであろう。
【発明の効果】
【００１５】
本発明によれば、イジェクトの際のカートリッジへの衝撃を緩和することができ、カートリッジをスムーズにイジェクトすることができる。また、カートリッジ挿入用開口からカートリッジが飛び出して脱落することを防止することができる。
【００１６】
本発明によれば、カートリッジが収容されている状態では、操作ボタンがハウジング前面とほぼ同じ位置の第１位置にあるため、操作ボタンへの接触を防止することができる。さらに、第２位置へ変位させた後に押し込むことではじめてロック状態を解除できるため、誤操作を防止することができる。
【００１７】
本発明によれば、ロック解除機構に連動するカートリッジ押出し機構を備えているため、カートリッジとカートリッジ用ソケットの接続コネクタの抜脱等を確実に実行することができる。
【発明を実施するための最良の形態】
【００１８】
以下、本発明の実施形態について、図面を参照して詳細に説明する。
図１は、本発明に係る実施形態のカートリッジ用ソケット１とカートリッジ２の斜視図であり、図２は、図１に示すカートリッジ用ソケット１の操作ボタン１８、ハートカム機構２１、ロッド２７、ロック機構２３およびロック解除機構２４を示す分解斜視図である。
【００１９】
図１、図２および図３に示すように、本実施形態のカートリッジ用ソケット１は、前面にカートリッジ挿入用の開口１６を有するハウジング１０と、前記開口１６からハウジング１０内に挿入されたカートリッジ２の挿入動作により弾性力を蓄えるイジェクトスプリング３５を備えるイジェクト機構３４と、前記挿入されたカートリッジ２と係合し、該カートリッジ２を記録再生位置に保持するロック機構２３と、前記ハウジング１０の前面に配置された操作ボタン１８を備え、該操作ボタン１８を操作することにより、前記ロック機構２３のロック状態を解除するロック解除機構２４と、前記ロック解除機構２４により前記カートリッジ２のロック状態が解除され、該カートリッジ２が前記イジェクト機構３４のイジェクトスプリング３５の弾性力により前記開口１６からイジェクトされる際に、前記イジェクトスプリング３５に蓄えられた弾性力が減衰しながら前記カートリッジ２に作用するようにするダンパ機構３６とを備えることを特徴とする。
【００２０】
本実施形態において、カートリッジ２は、リムーバブルハードディスクを用いた場合を例示しているが、本発明のカートリッジがかかるリムーバルハードディスクに限定されるものでないことは言うまでもない。
【００２１】
このカートリッジ２は、図１に示すように、内部に２．５インチのハードディスク３を格納しており、幅１３０ｍｍ、奥行き８０ｍｍ、高さ１２．７ｍｍのサイズとなっている。カートリッジ２は、挿入側に接続用プラグ４が設けられ、また、両側壁には水平方向に延在するガイド溝６が設けられている。なお、一方の側壁には凹部５が設けられており、後述するカートリッジ用ソケット１のロック部材３３と係合する。
【００２２】
カートリッジ用ソケット１は、天板１１、底板１２、一対の側板部１３、１４からなる扁平な直方体形状のハウジング１０を有しており、該ハウジング１０の内部空間がカートリッジ収納部１５となっている。なお、本実施形態において、天板１１と底板１２は金属板であり、また、側板部１３、１４は合成樹脂製である。
【００２３】
カートリッジ収納部１５内部（図１参照）には、上記カートリッジ２の接続用プラグ４に対応する接続用ソケット２０が設けられている。また、側板部１３、１４の内側壁には、水平方向に延在する凸部１３ａ、１４ａが形成され、カートリッジ２が挿入される際に該カートリッジ２のガイド溝６を案内する。すなわち、カートリッジ２をカートリッジ用ソケット１の開口１６からカートリッジ収納部１５内へ挿入すると、ガイド溝６が凸部１３ａ、１４ａに案内され、接続用プラグ４と接続用ソケット２０が接続される。この接続用プラグ４と接続用ソケット２０が接続された状態が、カートリッジの記録再生位置となる。
【００２４】
図１、図２、図３および図４に示すように、側板部１３の前面には操作ボタン１８が配置され、また、側板部１３内部には、イジェクト機構３４、ロック機構２３、ロック解除機構２４、ダンパ機構３６、押出し機構３９が設けられている。
【００２５】
図２に示すように、操作ボタン１８には、ハートカム機構２１とカム部材２５が連結されている。この操作ボタン１８は、コイルスプリング（図示せず）により、常に、ハウジング１０の前面側へ付勢されている。カム部材２５の基部は、回動自在に操作ボタン１８に取付けられている。そして、カム部材２５の先端に設けたピン２５ａがハートカム機構２１のカム溝に案内されることにより、操作ボタン１８の位置が第１位置と第２位置との間で変位するようになっている。なお、符号２６は、このカム部材２５をハートカム機構２１の方へ付勢し、ピン２５ａがハートカム機構２１のカム溝に常に係合するようにしている板バネスプリングである。
【００２６】
このハートカム機構２１により、操作ボタン１８は、ハウジング前面とほぼ同じ位置の第１位置と、ハウジング前面から突出した第２位置に変位する。ピン２５ａは、第１位置においてはカム溝２１ａに位置し、また、第２位置においてはカム溝２１ｂに位置する。
【００２７】
カム部材２５の後方にはロッド２７が配設されている。操作ボタン１８を押し込んだ際に、ピン２５ａがハートカム機構２１のカム溝２１ｄに位置する場合のみ、カム部材２５の先端はロッド２７の先端２７ａと当接し、ロッド２７を後方へスライドさせる。このロッド２７の中間部には、コイルスプリング２８が係止片２７ｂを介して設けられており、ロッド２７をハウジング１０の前面方向へと付勢している。
【００２８】
ロック機構２３は、ロック部材３３と、ロック部材３３を回動自在に支持する軸３０と、ロック部材３３をカートリッジ収納部１５の内壁面から突出するように付勢するトーションスプリング３１とから構成されている。このロック部材３３は、ハウジングの前面側に傾斜面３３ａが設けられている。カートリッジ２が挿入されると、カートリッジ２の端部がこの傾斜面３３ａを押圧し、ロック部材３３は、カートリッジ収納部１５の内壁面内へ押し込まれる。
【００２９】
ロック解除機構２４は、ロッド２７の枝状部２７ｃおよび枝状部先端２７ｄと、ロック部材３３の傾斜面３３ｂとから構成されている。操作ボタン１８の操作によりロッド２７が後退して、ロッド２７の枝状部先端２７ｄが傾斜部３３ｂを押圧すると、ロック部材３３はカートリッジ収納部１５の内壁面内へ引き込まれるようになっている。
【００３０】
イジェクト機構３４は、図３に示すように、側板部１３にスライド自在に組み付けられたイジェクト部材３４ａと、該イジェクト部材３４ａと連結されたイジェクトスプリング３５とを備えている。イジェクト部材３４ａは、イジェクトスプリング３５によって、常時、ハウジング１０の前面方向へ付勢されている。
【００３１】
ダンパ機構３６は、図３および図４に示すように、イジェクト部材３４ａと一体に設けられているラック部分３７ａと、このラック部分３７ａと噛合するピニオンギア３８ａを備えたダンパユニット３８とから構成されている。このダンパユニット３８は、内部に粘度の高い流体と、該流体の中を抵抗による負荷がかかった状態で回転する回転体とを有しており、ピニオンギア３８ａの回転に機械的な抵抗をもたらす。
【００３２】
押出し機構３９は、図４に示すように、レバー状部材３９ｃから構成されている。このレバー状部材３９ｃの一端は、軸３９ａにより回動可能に軸支されている。また、軸３９ａには、トーションスプリング（図示せず）が設けられており、図４に示す矢印方向へレバー状部材３９ｃを付勢している。また、このレバー状部材３９ｃの一端には、ラック部分３７ａと噛合するピニオンギア３９ｂが設けられている。レバー状部材３９ｃの他端は、操作ボタン１８に力を加えイジェクト操作を行なうと、ロッド２７の後端２７ｅにより後方に押される。即ち、図４においてロッド２７は左方向へ移動し、レバー状部材３９ｃは図４に示す矢印方向に回動する。ピニオンギア３９ｂの回動により、ラック部分３７ａを前方に押出し、このラック部分３７ａと一体に設けられているイジェクト部材３４ａを前方（図３および図４において右方向）に押出す。この押出し機構３９は、カートリッジ２の接続用プラグ４とカートリッジ用ソケット１の接続用ソケット２０の抜脱を、操作ボタン１８に加えられる力により直接行なうことが可能となる。
【００３３】
以下、図５ないし図１１を参照しつつ、本実施形態の作用効果を説明する。なお、イジェクト機構３４、ロック機構２３、ロック解除機構３４、ダンパ機構３６および押出し機構３９は、これらの機構を構成する一部の部材のみが図示されており、図５ないし図１１中に示されていないカム溝２１ａ、２１ｂ、２１ｃ、２１ｄは図２を、イジェクトスプリング３５は図３および図４を合わせて参照し、説明する。
【００３４】
図５は、カートリッジ２が挿入されていない状態を示している。操作ボタン１８は押しこまれた状態、即ち、ハウジング前面とほぼ同じ位置の第１位置にあり、カム部材２５のピン２５ａは、ハートカム機構のカム溝２１ａに位置する。イジェクト機構３４は、イジェクトスプリング３５が縮んだ状態であり、イジェクト部材３４ａはハウジング１０の前面方向（図５において左側）に付勢されている。ロック機構２３は、ロック部材３３がカートリッジ収納部１５の内壁面から突出している。ロック解除機構２４は、ロッド２７が後退（図５において右方向）していないため、この段階では作動していない。ダンパ機構３６や押出し機構３９も作動していない。
【００３５】
図６は、カートリッジ２を開口１６から挿入し、カートリッジ２の端部がロック機構２３のロック部材３３の傾斜面３３ａの押圧を開始した状態を示している。傾斜面３３ａが押圧されると、ロック部材は、図２に示す軸３０を中心に回動を開始し、カートリッジ収納部１５の内壁面内へ押し込まれてゆく。この段階において、ロック機構２３を除く、操作ボタン１８、イジェクト機構３４、ロック解除機構２４、ダンパ機構３６、押出し機構３９は前段階の状態を維持している。
【００３６】
図７は、カートリッジ２がさらに進行した状態を示している。ロック部材３３は完全にカートリッジ収納部１５内壁面内に押し込まれている。カートリッジ２の端部は、イジェクト部材３４ａのハウジング１０の前面方向端面の押圧を開始している。このため、イジェクト部材３４ａは、図７に示す矢印方向への移動を開始し、イジェクトスプリング３５がそれにつれて伸長され弾性力を蓄えてゆく。なお、このイジェクト部材３４ａの移動に伴い、イジェクト部材３４ａと一体に設けられているラック部分３７ａによりピニオンギア３８ａを介してダンパ機構３６のダンパユニット３８が回転するが、カートリッジ２の挿入速度は比較的低速であるため、ダンパユニット３８による影響は小さい。この段階において、押出し機構３９のレバー状部材３９ｃのピニオンギア３９ｂは、ラック部分３７ａのギアと噛合していない。平面部分３７ｂにはギアが設けられていないからである。このためレバー状部材３９ｃは、図４に示す状態から矢印方向へ９０度傾いた水平状態を維持している。この段階において、操作ボタン１８、ロック解除機構２４は前段階の状態を維持している。
【００３７】
図８は、カートリッジ２がカートリッジ収納部１５に完全に収容された状態を示している。カートリッジ２の接続用プラグ４とカートリッジ用ソケット１の接続用ソケット２０が接続された状態であり、カートリッジ２の記録再生位置となる。カートリッジ２の側壁の凹部５がロック機構２３のロック部材３３に対応する位置に移動したため、ロック部材３３はトーションスプリング３１の付勢力により凹部５と係合し、カートリッジ２をロックする。カートリッジ２の端部に押されていたイジェクト部材３４ａは押しこまれた状態となり移動を終了する。この状態で、イジェクトスプリング３５は、最大に伸長し大きな弾性力（付勢力）を蓄えた状態となる。また、イジェクト部材３４ａと一体に設けられているラック部分３７ａにより、押出し機構３９のレバー状部材３９ｃが回動して立ちあがる（図４に示す状態）。この段階において、操作ボタン１８、ロック解除機構２４は前段階の状態を維持している。
【００３８】
図９は、カートリッジ２をイジェクトするために操作ボタン１８を突出させた状態を示している。即ち、カートリッジ２のロック状態を解除するために、操作ボタン１８を第１位置から押し込むことにより、操作ボタン１８がハウジング１０の前面から突出した第２位置に変位した状態を示している。カートリッジ２をイジェクトするためには、この操作ボタン１８を２度押しする必要があるが、この段階は、その１度目の操作になる。操作ボタン１８を軽く押すと、カム部材２５のピン２５ａは、ハートカム機構２１のカム溝２１ａから離脱して、カム溝２１ｃを経由してカム溝２１ｂへ移動する。なお、ピン２５ａはカム溝２１ｃを移動するため、カム部材２５の先端はロッド２７の先端２７ａと接触しない。このため、この操作ボタン１８の操作によってロッド２７は作動しない。この段階では、操作ボタン１８を除く、イジェクト機構３４、ロック機構２３、ロック解除機構２４、ダンパ機構３６、押出し機構３９は、前段階の状態を持続している。
【００３９】
図１０は、操作ボタン１８がハウジング前面から突出した第２位置に変位した図９の状態で操作ボタン１８を再度押圧することにより、ロック機構２３によるカートリッジ２のロック状態を解除した状態を示している。即ち、操作ボタン１８の２度目の押し込み操作状態を示している。この状態で操作ボタン１８を押すと、カム部材２５のピン２５ａは、ハートカム機構２１のカム溝２１ｂから離脱して、カム溝２１ｄを経由してカム溝２１ａへ移動する。そして、ピン２５ａがカム溝２１ｄを移動する際、カム部材２５の先端はロッド２７の先端２７ａと接触し、ロッド２７を後退させる。このロッド２７の後退は、最初にロック解除機構２４を作動させる。即ち、ロッド２７の枝状部先端２７ｄが傾斜部３３ｂを押圧し、ロック部材３３がカートリッジ収納部１５の内壁面内へ引き込まれてゆく。さらに操作ボタン１８が押し込まれロッド２７が後退してゆくと、押出し機構３９のレバー状部材３９ｃの端部は、ロッド２７の後端２７ｅにより後方に押される。このためレバー状部材３９ｃは、図４に示す矢印方向に回動し、ラック部分３７ａと一体に設けられているイジェクト部材３４ａを前方に押し出す。イジェクト部材３４ａにはイジェクトスプリング３５による弾性力（付勢力）が働いているが、この押出し機構３９により、カートリッジ２の接続用プラグ４とカートリッジ用ソケット１の接続用ソケット２０の抜脱を確実なものとすることができる。レバー状部材３９ｃの回動は、レバー状部材３９ｃが水平位置に復帰し、図４における平面部分３７ｂにおいてギアと噛合しなくなると終了する。この終了位置は、接続用プラグ４と接続用ソケット２０の抜脱が完了した位置に対応していることが望ましい。
【００４０】
図１１は、カートリッジ２のイジェクトが完了直前の状態を示す。イジェクト機構３４のイジェクトスプリング３５の復元力により、イジェクト部材３４ａがハウジング前面方向へ移動しカートリッジ２の端部を押し出す。この際、イジェクト部材３４ａと一体に設けられているラック部分３７ａによりピニオンギア３８ａを介してダンパユニット３８が作動し、イジェクト部材３４ａの移動速度を低下させる。すなわち、イジェクトスプリング３５に蓄えられた弾性力を減衰させる。このため、イジェクト部材３４ａによるカートリッジ２への衝撃を弱め、スムーズなイジェクト動作を実現するとともに、カートリッジ２の開口１６からの飛び出しを防止することができる。
【００４１】
以上、本発明を好適な実施形態に基づいて説明したが、本発明は、当該実施形態に限定されるものではない。たとえば、本発明のカートリッジ用ソケットに用いられるカートリッジは、以上のようなリムーバブルタイプのハードディスク用に限定されるものではない。カートリッジタイプの光ディスクや磁気ディスクのイジェクト機構としても利用できる。また、ＰＣカードなどのカード型電子機器用のソケットとしても利用できる。
【図面の簡単な説明】
【００４２】
【図１】本発明に係る実施形態のカートリッジ用ソケット１とカートリッジ２の斜視図である。
【図２】図１に示すカートリッジ用ソケット１の操作ボタン１８、ハートカム機構２１、ロッド２７、ロック機構２３およびロック解除機構２４を示す分解斜視図である。
【図３】図１に示すカートリッジ用ソケット１のイジェクト機構３４、ダンパ機構３６を示す平面図である。
【図４】図３に示すイジェクト機構３４の一部、ダンパ機構３６とおよび押出し機構３９を示す平面図である。
【図５】図１に示すカートリッジ用ソケット１の部分説明図であり、カートリッジ２が挿入されていない状態を示している。
【図６】図１に示すカートリッジ用ソケット１の部分説明図であり、カートリッジ２を開口１６から挿入し、カートリッジ２の端部がロック機構２３のロック部材３３の傾斜面３３ａの押圧を開始した状態を示している。
【図７】図１に示すカートリッジ用ソケット１の部分説明図であり、カートリッジ２がさらに進行した状態を示している。
【図８】図１に示すカートリッジ用ソケット１の部分説明図であり、カートリッジ２がカートリッジ収納部１５に完全に収容された状態を示している。
【図９】図１に示すカートリッジ用ソケット１の部分説明図であり、カートリッジ２をイジェクトするために操作ボタン１８を突出させた状態を示している。
【図１０】図１に示すカートリッジ用ソケット１の部分説明図であり、操作ボタン１８がハウジング前面から突出した第２位置に変位した図９の状態で操作ボタン１８を再度押圧することにより、カートリッジ２のロック状態を解除した状態を示している。
【図１１】図１に示すカートリッジ用ソケット１の部分説明図であり、カートリッジ２のイジェクトが完了直前の状態を示す。
【符号の説明】
【００４３】
１  カートリッジ用ソケット
２  カートリッジ
３  ハードディスク
４  接続用プラグ
５  凹部
６  ガイド溝
１０  ハウジング
１１  天板
１２  底板
１３、１４  側板部
１３ａ、１４ａ  凸部
１５  カートリッジ収納部
１６  開口
１８  操作ボタン
２０  接続用ソケット
２１  ハートカム機構
２１ａ、２１ｂ、２１ｃ、２１ｄ  カム溝
２３  ロック機構
２４  ロック解除機構
２５  カム部材
２５ａ  ピン
２６  板バネスプリング
２７  ロッド
２７ａ  先端
２７ｂ  係止片
２７ｃ  枝状部
２７ｄ  枝状部先端
２７ｅ  後端
２８  コイルスプリング
３０  軸
３１  トーションスプリング
３３  ロック部材
３３ａ  傾斜面
３３ｂ  傾斜面
３４  イジェクト機構
３４ａ  イジェクト部材
３５  イジェクトスプリング
３６  ダンパ機構
３７ａ  ラック部分
３７ｂ  平面部分
３８  ダンパユニット
３８ａ  ピニオンギア
３９  押出し機構
３９ａ  軸
３９ｂ  ピニオンギア
３９ｃ  レバー状部材
【図１】
2006012310.tif 000003
【図２】
2006012310.tif 000004
【図３】
2006012310.tif 000005
【図４】
2006012310.tif 000006
【図５】
2006012310.tif 000007
【図６】
2006012310.tif 000008
【図７】
2006012310.tif 000009
【図８】
2006012310.tif 000010
【図９】
2006012310.tif 000011
【図１０】
2006012310.tif 000012
【図１１】
2006012310.tif 000013